(57)【要約】      （修正有）【目的】袋に、被充填・装填物を詰める際、手または、手の指で袋の挿入口を持って、開けたりせずに、袋の開口部の縁に取り付けて、袋を自立させた上、袋の口を開口させて、充填・装填来るようにし、また、充填・装填作業を一時中断した際、袋の開口部を閉じるようにも出来る、袋の挿入・開口部の開閉器具を提供する。また、この開閉器具を使用することで、２人で袋詰め作業しなくても、１人で作業できる省力化をはかることが出来るようにする。【構成】両端部にヒンジ部を持ち、向かい合って接した平スプリングをその端部にある取手を手の指でつまんで、ヒンジとスプリングの作用で中央部を円弧状に拡げ、その枠状に拡がった平スプリングに内側より袋の縁を外側に巻き付け袋を装着して、手、または、手の指を使わずに袋の開口部を開いて、充填・装填作業が出来る構成とする。【選択図】図１
0003137797.tif 000002
【実用新案登録請求の範囲】
袋の挿入口である開口部縁部に、袋の縁部の端の一部を内側より、外側に向かって、一対の平スプリング（１）に被せるように取り付け、フック（２）がついている平スプリング（１）の一対の端部を手の指でつまむことにより、両端部にあるヒンジ及びバネの作用で１対の平スプリング（１）が円弧状に開くことになり、片手で袋の開口部を開口できる器具で、手を離すと袋の開口部が閉まり、又、片手で一対の平スプリング（１）を開いたまま、フック（２）を反対側の平スプリング（１）の端部に掛けることにより、そのまま開いた状態を保つことを特徴とする袋の開口部の開閉器具
【考案の詳細な説明】
【考案の詳細な説明】
【産業上の利用分野】
【０００１】本考案は、例えば、家庭用の袋から、粉末ないし、粒状の製品を装填するためのあらゆる袋に関する
【背景技術】
【０００２】袋に、ものを手で装填する際、通常、片手で袋の口をある程度開き、もう一方の手で、装填物を袋に装填するか、または、袋の口を両手開き、もう一人が装填物を投入する二人掛かりで行なう方法が取られている。この際、一人で充填する時は、袋の開口部の状態が不安定で装填作業が手間取っていた。
２人で行なうことは、省力的でない。  また、装填後、開口部が閉まるような、特徴のある開閉器具はなかった。
【考案が解決しようとする課題】
【０００３】従来の欠点である袋の開口を、器具を使用して、袋を自立させて、しかも、開口部を片手で十分開かせ、その状態を維持したまま、または、その手を離し、もう一方の手、または、両手で装填作業が出来るような器具を提供する。また、袋に詰めた後、その器具から手を離した際、袋の開口部が閉まる特徴を持つ器具を提供する。
【課題を解決するための手段】
【０００４】（１）    上記の目的を達成するための本考案の構成を、実施例に対応する第１図を用いて説明すると、袋の開口部の縁を１対の平スプリング（１）に内側より外側に向かって巻き付け、袋の立った位置が当該器具の高さに見合うように袋と当該器具を設置する。
（２）    １対の平たい面が向合って、接しており、水平に位置する平スプリング（１）は丁番型ヒンジ（３）と他方は１対の平スプリング（１）を間に挟んでヒンジ（４）を構成し、その端部は、くの字状に開いていて取手状になっており、片方にフック（２）を持つ。
（３）    丁番型ヒンジ（３）およびヒンジ（４）はその下部に上下調節用一対のスライド止め具（７）を持ち、その下部端部が１対の止め具（９）を有し、互いに、平スプリング（１）に対して、直角に、しかも、向き合って位置する脚（５）に、それぞれ、スライドして差込み、取り付けられる。
（４）    フック（２）は、矩形状の輪になっており、平スプリング（１）の片方の端部に、フックの片側が回転出来るように、ヒンジ構造で取り付けられている。
（５）    １対の脚（５）と連結具（６）お呼びそれを止める１対の下部止め具（８）で構成された部分は、脚（５）上部に１対の脚止め具（９）が付いている上部が、互いに近ずいたり、元に復帰したり、多少揺同出来る構造とする。
（６）    なを、１対の脚（５）平板状構造に限るものでなく、アングル、線材、その他成型材等使用できる。
【作用】
【０００５】（１）    一対の平スプリング（１）はフック（２）が付いた側に、くの字状に開いた取手を手の指でつまむことにより、丁番型ヒンジ部（３）とヒンジ（４）が支点になり、また、スプリングの作用と相まって、平スプリング（１）の中央部が円弧状に互いに，離れるように開く。
（２）    この１対の平スプリングが円弧状に開いた際、フック（２）を、向かい合った他方の平スプリング（１）の取って部に掛け止めることにより、手の指を離した状態でも、この１対の平スプリング（１）の円弧状に開いた状態が保持される。
（３）    上記の状態において、袋の高さに１対のスライド止め具（７）を調節して、袋をその円弧状に開いた１対の平スプリングの内側に入れ、袋の開口部の縁を内側から１対の平スプリング（１）の上側から巻き付ける要領で装着する。
（４）    上記の状態で、袋に装填物が充填・装填出来る状態になる。
（５）    充填後は、フック（２）を外せば、円弧状に開いている１対の平スプリング（１）はバネの作用で一直線状に接して閉じ、従って、それに縁部が取り付けられている袋の開口部が閉まる。
（６）    対象になる袋の大きさに合わせて当該考案の開閉器具を用意しておけば、如何なる大きさの袋にも使用出来る。
（７）    連結具（６）は、１対の脚（５）の下部中心部に１対の下部止め具（８）で取り付いて、同１対の脚（５）が直立出来るよう支持しており、また、上部１対のスライド止め具（７）が、その下に１対の上部止め具（９）で取り付いている。そのため、１対の平スプリング（１）が開いたり、閉じたり、する際、１対の脚（５）の上部は、内側に向き合って近ずいたり、また、元へ戻ったりする動きに追随するように、互いに、連携した動きをする。
【実施例】
【０００６】  図面により、上述の手段、作用にて説明した内容に一部補足して簡単に説明すると、
（１）    第図１は当該考案の見取図で、袋を装着した状態をあらわす。
（２）    １対の平スプリング（１）は、互いに、平たい面が向き合って、接し、両端部に２つのヒンジ部を有し、フック（２）の付いた側の、開いた１対の平スプリング（１）両端部取手を指でつまむことにより、ヒンジの作用で平スプリングの中央部が円弧状に開く。
（３）    この開いた状態は、フック（２）を他方の平スプリング（１）の端部に掛けると手の指を離しても、保たれる。
（４）    袋装着する際は、先ず、袋を、この円弧状に開いた１対の平スプリング（１）の枠の中に入れ、高さの調整を、１対のスライド止め具（７）を上下させて、袋の開口部の縁の近くに合わせる。
（５）    次に、袋の縁をこの開いた円弧状になった枠に内側から被せて、充填・装填作業出来る態勢が整う。
（６）    袋の取り外しは、上記の逆の手順で行なう。
（７）    なを、充填中または、充填後一時、袋の開口部を閉じる際は、フック（２）を外すと１対の平スプリングがヒンジとバネの作用で、元の、閉じて、接した状態に戻り、袋の開口部が閉まった状態になる。
（８）    袋の大きさにより当該考案品の大きさは、当然変わるが、基本的構造は同じである。
【考案の効果】
【０００７】（１）    本考案品を使って袋に充填・装填する作業を行なえば、両手を自由に使って作業が可能になり、作業効率が上がる。
（２）    袋がある程度大きい場合は、一人が袋の口を両手で開き、もう一人が充填・装填作業を行なうといった２人作業になるが、本考案品を使用すれば、１人で作業でき、省力化に貢献出来る。
（３）    充填・装填作業を一時中断する際、フック（２）を外せば、袋の開口部が閉まるため、袋の口から，虫等の異物が入ったり、内容物が湿気を帯びたりすることから防ぐことが出来る。
（４）    袋を、手の指で直に持たずに充填・装填作業出来るので、危険物、汚染物等を袋に詰める際、手の指が汚染されたりする危険が無くなる。
（５）    袋の、多少の高さ等大きさの違いがある際も、スライド止め具（７）により、調節出来る。
【図面の簡単な説明】  第１図は本考案品の見取り図で、袋を装着した状態をあらわす
第２図は丁番型ヒンジ（３）の正面図
第３図はヒンジ（４）の平面図
第４図は第３図ＸＹ断面図
第５図はヒンジ（４）の正面図
第６図はフック（２）の取り付け部の平面図
第７図はフック（２）の取り付け部の正面図
醍８図は脚（５）部と連結具（６）の取り付け関係を示す正面図
【符号の説明】
（１）は平スプリング（１対）、（２）はフック、（３）は丁番型ヒンジ、（４）は、ヒンジ、（５）は脚（１対）、（６）は連結具、（７）はスライド止め具（１対）、（８）は下部止め具（１対）、（９）は上部止め具（１対）
0003137797.tif 000003
【手続補正書】
【提出日】平成19年7月10日(2007.7.10)
【手続補正１】
【補正対象書類名】実用新案登録請求の範囲
【補正対象項目名】全文
【補正方法】変更
【補正の内容】
【実用新案登録請求の範囲】
【請求項１】
袋の挿入口である開口部の縁部の端の一部を、中央部が反対方向に割れるように円弧状に開いたり、又、合わさって閉じたりする一対の平スプリング（１）に、内側より、外側に向かって、被せるように取り付け、袋の開口部の開閉に使用するもので、一対の平スプリング（１）は一方端に丁番型ヒンジ（３）、反対側にヒンジ（４）とフック（２）を有し、両ヒンジ部は１対の脚（５）に夫々、連結されて構成されている。
【手続補正２】
【補正対象書類名】明細書
【補正対象項目名】全文
【補正方法】変更
【補正の内容】
【考案の詳細な説明】
【産業上の利用分野】
【０００１】本考案は、例えば、家庭用の袋から、粉末ないし、粒状の製品を装填するためのあらゆる袋に関する
【背景技術】
【０００２】袋に、ものを手で装填する際、通常、片手で袋の口をある程度開き、もう一方の手で、装填物を袋に装填するか、または、袋の口を両手開き、もう一人が装を投入する二人掛かりで行なう方法が取られている。この際、一人で充填する時は、袋の開口部の状態が不安定で装填作業が手間取っていた。
２人で行なうことは、省力的でない。  また、装填後、開口部が閉まるような、特徴のある開閉器具はなかった。
【考案が解決しようとする課題】
【０００３】従来の欠点である袋の開口を、器具を使用して、袋を自立させて、しかも、開口部を片手で十分開かせ、その状態を維持したまま、または、その手を離し、もう一方の手、または、両手で装填作業が出来るような器具を提供する。また、袋に詰めた後、その器具から手を離した際、袋の開口部が閉まる特徴を持つ器具を提供する。
【課題を解決するための手段】
【０００４】（１）  上記の目的を達成するための本考案の構成を、実施例に対応する第１図を用いて説明すると、袋の開口部の縁を１対の平スプリング（１）に内側より外側に向かって巻き付け、袋の立った位置が当該器具の高さに見合うように袋と当該器具を設置する。
（２）  １対の平たい面が向合って、接しており、水平に位置する平スプリング（１）は丁番型ヒンジ（３）と他方は１対の平スプリング（１）を間に挟んでヒンジ（４）を構成し、その端部は、くの字状に開いていて取手状になっており、片方にフック（２）を持つ。
（３）  丁番型ヒンジ（３）およびヒンジ（４）はその下部に上下調節用一対のスライド止め具（７）を持ち、その下部端部が１対の止め具（９）を有し、互いに、平スプリング（１）に対して、直角に、しかも、向き合って位置する脚（５）に、それぞれ、スライドして差込み、取り付けられる。
（４）  フック（２）は、矩形状の輪になっており、平スプリング（１）の片方の端部に、フックの片側が回転出来るように、ヒンジ構造で取り付けられている。
（５）  １対の脚（５）と連結具（６）お呼びそれを止める１対の下部止め具（８）で構成された部分は、脚（５）上部に１対の脚止め具（９）が付いている上部が、互いに近ずいたり、元に復帰したり、多少揺同出来る構造とする。
（６）  なを、１対の脚（５）平板状構造に限るものでなく、アングル、線材、その他成型材等使用できる。
【作用】
【０００５】（１）  一対の平スプリング（１）はフック（２）が付いた側に、くの字状に開いた取手を手の指でつまむことにより、丁番型ヒンジ部（３）とヒンジ（４）が支点になり、また、スプリングの作用と相まって、平スプリング（１）の中央部が円弧状に互いに，離れるように開く。
（２）  この１対の平スプリングが円弧状に開いた際、フック（２）を、向かい合った他方の平スプリング（１）の取って部に掛け止めることにより、手の指を離した状態でも、この１対の平スプリング（１）の円弧状に開いた状態が保持される。
（３）  上記の状態において、袋の高さに１対のスライド止め具（７）を調節して、袋をその円弧状に開いた１対の平スプリングの内側に入れ、袋の開口部の縁を内側から１対の平スプリング（１）の上側から巻き付ける要領で装着する。
（４）  上記の状態で、袋に装填物が充填・装填出来る状態になる。
（５）  充填後は、フック（２）を外せば、円弧状に開いている１対の平スプリング（１）はバネの作用で一直線状に接して閉じ、従って、それに縁部が取り付けられている袋の開口部が閉まる。
（６）  対象になる袋の大きさに合わせて当該考案の開閉器具を用意しておけば、如何なる大きさの袋にも使用出来る。
（７）  連結具（６）は、１対の脚（５）の下部中心部に１対の下部止め具（８）で取り付いて、同１対の脚（５）が直立出来るよう支持しており、また、上部１対のスライド止め具（７）が、その下に１対の上部止め具（９）で取り付いている。そのため、１対の平スプリング（１）が開いたり、閉じたり、する際、１対の脚（５）の上部は、内側に向き合って近ずいたり、また、元へ戻ったりする動きに追随するように、互いに、連携した動きをする。
【実施例】
【０００６】  図面により、上述の手段、作用にて説明した内容に一部補足して簡単に説明すると、
（１）  第図１は当該考案の見取図で、袋を装着した状態をあらわす。
（２）  １対の平スプリング（１）は、互いに、平たい面が向き合って、接し、両端部に２つのヒンジ部を有し、フック（２）の付いた側の、開いた１対の平スプリング（１）両端部取手を指でつまむことにより、ヒンジの作用で平スプリングの中央部が円弧状に開く。
（３）  この開いた状態は、フック（２）を他方の平スプリング（１）の端部に掛けると手の指を離しても、保たれる。
（４）  袋装着する際は、先ず、袋を、この円弧状に開いた１対の平スプリング（１）の枠の中に入れ、高さの調整を、１対のスライド止め具（７）を上下させて、袋の開口部の縁の近くに合わせる。
（５）  次に、袋の縁をこの開いた円弧状になった枠に内側から被せて、充填・装填作業出来る態勢が整う。
（６）  袋の取り外しは、上記の逆の手順で行なう。
（７）  なを、充填中または、充填後一時、袋の開口部を閉じる際は、フック（２）を外すと１対の平スプリングがヒンジとバネの作用で、元の、閉じて、接した状態に戻り、袋の開口部が閉まった状態になる。
（８）  袋の大きさにより当該考案品の大きさは、当然変わるが、基本的構造は同じである。
【考案の効果】
【０００７】（１）  本考案品を使って袋に充填・装填する作業を行なえば、両手を自由に使って作業が可能になり、作業効率が上がる。
（２）  袋がある程度大きい場合は、一人が袋の口を両手で開き、もう一人が充填・装填作業を行なうといった２人作業になるが、本考案品を使用すれば、１人で作業でき、省力化に貢献出来る。
（３）  充填・装填作業を一時中断する際、フック（２）を外せば、袋の開口部が閉まるため、袋の口から，虫等の異物が入ったり、内容物が湿気を帯びたりすることから防ぐことが出来る。
（４）  袋を、手の指で直に持たずに充填・装填作業出来るので、危険物、汚染物等を袋に詰める際、手の指が汚染されたりする危険が無くなる。
（５）  袋の、多少の高さ等大きさの違いがある際も、スライド止め具（７）により、調節出来る。
【図面の簡単な説明】
【０００８】
【図１】は本考案品の見取り図で、袋を装着した状態をあらわす
【図２】は丁番型ヒンジ（３）の正面図
【図３】はヒンジ（４）の平面図
【図４】は第３図ＸＹ断面図
【図５】はヒンジ（４）の正面図
【図６】はフック（２）の取り付け部の平面図
【図７】はフック（２）の取り付け部の正面図
【図８】は脚（５）部と連結具（６）の取り付け関係を示す正面図
【符号の説明】
【０００９】  （１）は平スプリング（１対）
（２）はフック
（３）は丁番型ヒンジ
（４）は、ヒンジ
（５）は脚（１対）
（６）は連結具
（７）はスライド止め具（１対）
（８）は下部止め具（１対）
（９）は上部止め具（１対）
【手続補正３】
【補正対象書類名】図面
【補正対象項目名】全図
【補正方法】変更
【補正の内容】
【図１】
0003137797.tif 000004
【図２】
0003137797.tif 000005
【図３】
0003137797.tif 000006
【図４】
0003137797.tif 000007
【図５】
0003137797.tif 000008
【図６】
0003137797.tif 000009
【図７】
0003137797.tif 000010
【図８】
0003137797.tif 000011
【手続補正書】
【提出日】平成19年9月6日(2007.9.6)
【手続補正１】
【補正対象書類名】実用新案登録請求の範囲
【補正対象項目名】全文
【補正方法】変更
【補正の内容】
【実用新案登録請求の範囲】
【請求項１】
袋の挿入口である開口部の縁部の端の一部を、中央部が反対方向に割れるように円弧状に開いたり、又、合わさって閉じたりする一対の平スプリング（１）に、内側より、外側に向かって、被せるように取り付け、袋の開口部の開閉に使用するもので、一対の平スプリング（１）は一方端に丁番型ヒンジ（３）、反対側にヒンジ（４）とフック（２）を有し、両ヒンジ部は１対の脚（５）に夫々、連結されて構成されている袋の開口部の開閉器具。